(57)【要約】【課題】  本発明は、保管物件の検索作業において、呼出装置からの電波信号の識別符号に呼応して発光し、その存在を検索作業者に示すことができる。【解決手段】  呼出し電波を受信し、自己への呼出しを認識し、発光で呼応する識別票である。管理システムは識別票の識別符号を図柄で読み取り、データベースとして蓄積し、検索時にはデータベースから必要な識別符号を検索し、識別票を呼び出すものである。また識別票は長期間放置される場合が多く、長期にわたる駆動電力の保持が大きな課題となるが、太陽電池および蓄電池を用いて駆動電力の保持を解決している。【選択図】  図３
2005310088.tif 000002
【特許請求の範囲】
【請求項１】
呼出し電波を受信し、復調された呼出し識別符号と自己に割り当てられて持つ固有の識別符号の一致に呼応して発光する機能を持ち、識別番号、記号またはバーコード等、目視による識別のための文字または図柄を有する識別票。
【請求項２】
請求項１の識別票、識別票の識別のための図柄を読み取る装置、計算機、および電波により識別票を呼び出す装置をもって形成される検索システム。
【請求項３】
光を受けて電気を発生する素子および蓄電池を有し、これを電源として動作する請求項１の識別票。
【発明の詳細な説明】
【発明の詳細な説明】
【技術分野】
【０００１】  この発明は識別票に関する。
【背景技術】
【０００２】  倉庫等で複数種の在荷を管理保管する場所において入出庫や整理のための物件検索のために、品種ごとの区域を定めたり、物件に識別のための番号、記号または名称を付すなどして検索の助けとしている。しかし、このような識別表示による方法では、考えられる保管物件毎に接近して番号、記号または名称を確認する作業を行わねばならず、検索ではなく確認作業を行っていることになり、きわめて非効率的である。区域または、収納棚で識別番号を持ち、検索作業において区域または収納棚に付された発光装置が発光によりその存在を知らせる方法があるが、これにおいては、物件の移動の都度、その収納区域情報を変更して管理する必要があり非効率的である。
【発明が解決しようとする課題】
【０００３】  従来の物件識別方法では、物件自身または保管単位自身の呼応方法と物件の移動に柔軟に対応するという２点について解決を与えておらず、物件または保管単位そのものを探し出さなければ確認がとれないといった根本的な機能に非効率的な要素を有している。
【０００４】本発明は、このような非効率性の改善を考慮してなされたものである。本発明は、保管物件の検索作業において、呼出装置からの呼出し電波を復調して得られる識別符号に呼応して発光し、その存在を検索作業者に示すことを可能にした識別票を提供することを目的とする。
【課題を解決するための手段】
【０００５】  上記課題を解決するために、請求項１に対応する発明は、電波を受信し自己への呼出しを認識し発光で呼応する識別票であって、登録のための固有識別符号、記号あるいはバーコード等の情報を含む視覚的にまたは光学的手段で認識可能な文字、記号または図柄を付したものである。
【０００６】本発明により、検索システムからの発信に呼応して、自已の存在を明確に検索作業者に示すことができる。
【０００７】次に、請求項２に対応する発明は、請求項１の識別票を運用する管理システムである。管理システムは識別票の識別符号を図柄で読み取り、データベースとして蓄積し、検索時にはデータベースから必要な識別符号を検索し、識別票を呼び出すものである。
【０００８】識別票は長期間放置される場合が多く、長期にわたる駆動電力の保持が大きな課題となる。請求項３は、光を受けて電気を発生する太陽電池および蓄電池をとりつけた請求項１の識別票である。
【発明を実施するための最良の形態】
【０００９】  以下に本発明の実施の形態について説明する。【００１０】図１は本発明の識別票の一例を示す基本構成図である。識別票１は機能回路２、発光器３、および識別図柄４で構成される。発光器３は、ＬＥＤ等の発光素子およびその駆動回路で構成されている。識別図柄４は、識別票の固有のもので、識別記号、番号、符号、またはバーコード等の視覚的にまたは光学的手段で認識可能な文字または図柄である。識別票には、物件等への取り付けを容易にするために、穴、フック、磁石等を備えてもよい。【００１１】識別票の機能ブロックを図２に示す。識別票の機能は、アンテナ５、受信機能６、復調機能７、固有の識別符号８、識別符号判定機能９、発光器３で構成される。固有識別符号は例えば複数のスイッチによるデジタル設定、メモリの記憶等の手段で設定保存されている。受信機能６、復調機能７、固有の識別符号８、識別符号判定機能９は図１に示される機能回路２を形成する。【００１２】識別票の動作を図１、図２を用いて説明する。【００１３】アンテナ５に励起される高周波電流は受信機能６で周波数選別され復調機能７により識別信号が取り出される。識別符号判定機能９は、復調した識別符号と予め設定された固有の識別符号８とを比較判断し、一致した場合は一致信号を発光器３へ送る。発光器３はこの一致信号を受けて発光する。識別票は呼応信号を無線で返信する機能を有していてもよい。【００１４】識別票を用いた識別票検索システムの構成を図３に示す。【００１５】管理システムは、識別票１、識別図柄４を読み取る読み取り装置１１、端末装置１２、計算機１０、呼出し電波発信器１８および送信アンテナ１９で構成される。【００１６】端末装置１２は場合により省略できる。読み取り装置１１および端末装置１２は一体のものでもよい。また、読み取り装置１１、および端末装置１２は計算機１０の入出力インターフェース１７に接続されるが、無線等で接続されてもよく、また読み取り、入力した情報を後刻計算機１０に接続してデータ授受を行う方法でもよい。【００１７】計算機１０は一般的な構成で、ＣＰＵ１３、記憶装置１４、キーボード１５、ディスプレイ１６および入出力インターフェース１７で構成される。【００１８】システムの機能と運用の流れを、図３を用いて説明する。【００１９】倉庫等の保管場所に入庫された物件または保管単位に、任意に選んだ識別札１を取り付け、バーコードスキャナー等の読み取り装置１１で識別票１に付された識別図柄４を読み取る。あるいは予め読み取り装置１１で識別図柄４を読み込んだ認識票１を当該物件または保管単位に取り付ける。ここで保管単位とは複数個の物件を１つに纏めて保管される単位で、たとえば収納袋、保管箱、保管棚、保管区域等である。補助手段として、読み取り装置１１で識別図柄を読み取るかわりに、端末装置または計算機１０のキーボード１５から識別情報を入力してもよい。【００２０】必要に応じ、端末装置１２を用いて当該物件に関する管理情報を入力する。管理情報とは、例えば物件名、品種番号、生産管理番号等の物件が固有に有する属性情報等である。付加された情報は、物件を検索する時の検索条件にとして使用される。【００２１】読み取り装置１１で読���込んだ図柄情報および端末装置で入力した管理情報は計算機１０に送られ、計算機１０は図柄情報と識別符号を対照し、当該識別札の識別符号を確定する。図柄から導かれる情報は識別符号と同一でもよいが、同一ではなく計算機内で予め有する対照表から符号を導いてもよい。【００２２】計算機１０は必要に応じて識別符号に管理情報を付加してデータベースに登録する。データベースとは、計算機の記憶装置に記憶され系統的に運営されるデータ群および管理ソフトウェアである。【００２３】管理システムは、他の在庫管理システムや発送管理システム等とデータ授受を行って連動してもよい。また、データベースの管理手段をネットワークや遠距離接続を介して別のシステムに依存してもよい。【００２４】物件の検索には、キーボード１５から計算機１０に直接に、あるいは端末装置１２から、検索に必要な当該物件の固有情報を検索条件として入力する。計算機１０はデータベースから入力された検索条件に合致する物件の識別符号を抽出する。抽出される識別符号は複数の場合もある。【００２５】作業者は、抽出された識別符号が目的のものと合致していれば、特定のキーによって確定の意思を入力する。抽出された識別符号の数が多ければ、さらに検索条件を入力して抽出数を絞ることが可能である。当然のことながら、検索条件として識別符号を入力すれば、抽出される識別符号は１つである。【００２６】呼び出すべき識別符号の確定により、計算機１０は呼出し電波発信器１８を介して識別符号を発信する。【００２７】呼出し電波を受けた識別票１の動作は前述のごときである。【００２８】作業者は、認識票１の発光による呼応によって容易に目的の物件を特定することができる。【００２９】作業者は、当該物件につけられた識別票１の識別図柄４を読み取り装置１１で読み取り、例えば出荷、再配置、保管単位の組替え等の作業結果を端末装置１２またはキーボード１５から入力する。【００３０】計算機１０は作業による現状変化をデータベースに反映し、管理情報を更新し現状と一致させる。【００３１】図４は、太陽電池２０を付加した識別票である。【００３２】例えば光を受けて電気を発生する素子、例えば太陽電池２０は作業場内の太陽光あるいは照明光を受光し電気を発生する。発生した電気は蓄電池２１に蓄えられ、機能回路２の駆動電源となる。【００３３】識別票１は、発光による報知に機能に加えて、認識の効果を上げるため、ブザーなどの補助機能を付加してもよい。【００３４】なお、本発明は、上記の実施の形態に用途限定されるものでなく、その機能を活用して種々の用途に供することが可能である。ここでは識別票およびシステムの運用を物件の検索について適用する例で説明したが、本発明の用途は更に、いくつかの作業において活用することができる。例えば倉庫内の保管物件を属性ごとに再配置する場合や長期在庫物件の確認や棚卸の援用手段として活用できる。
【発明の効果】
【００３５】  以上のごとく、本発明により、倉庫内等の物件検索作業において、その存在を発光によって対象物件を明確に示し、検索作業の効率を向上させる識別札を提供することができる。
【図面の簡単な説明】
【図１】識別票の基本構成を示す図。
【図２】識別票の機能を示すブロック図。
【図３】識別票で構成されるシステムの構成を示す図。
【図４】太陽電池を組み込んだ識別票の基本構成を示す図。
【符号の説明】
１  識別票
２  機能回路
３  発光器
４  識別図柄
５  アンテナ
６  受信機能
７  復調機能
８  固有識別符号
９  識別符号判定機能
１０  計算機
１１  読み取り装置
１２  端末装置
１３  ＣＰＵ
１４  記憶装置
１５  キーボード
１６  ディスプレイ
１７  入出力インターフェース
１８  呼出し電波発信器
１９  送信アンテナ
２０  太陽電池
２１  蓄電池
【図１】
2005310088.tif 000003
【図２】
2005310088.tif 000004
【図３】
2005310088.tif 000005
【図４】
2005310088.tif 000006